(57)【特許請求の範囲】
【請求項１】
裸線の外周を覆う絶縁カバーであって、
この絶縁カバーは長尺のシート状で、
その幅方向の中央部が、裸線の外径よりも大きい径の円弧または実質的に平面で構成され、
この中央部の両側縁には、裸線の外径よりも小さい径の巻き癖が1.5周未満形成され、
前記巻き癖を開いて裸線の外周に前記絶縁カバーを渦巻き状に装着した際、要求される耐電圧特性を有する厚みを具えることを特徴とする裸線の絶縁カバー。
【請求項２】
前記カバーは、JIS  K  6301「加硫ゴム物理試験方法」のスプリング式硬さ試験（A型）で測定した値が75°以下であることを特徴とする請求項１に記載の裸線の絶縁カバー。
【請求項３】
前記カバーが、フッ素ゴム、シリコーンゴム、ウレタンゴム、エチレンプロピレンゴム、クロロプレンゴムの少なくとも１種で構成されることを特徴とする請求項１に記載の裸線の絶縁カバー。
【請求項４】
前記カバーの両側縁がテーパ状に形成されたことを特徴とする請求項１に記載の裸線の絶縁カバー。
【請求項５】
前記両側縁のテーパ形状が同一であることを特徴とする請求項４に記載の裸線の絶縁カバー。
【請求項６】
請求項１に記載の裸線の絶縁カバーで裸線の外周を渦巻き状に被覆したことを特徴とする裸線の絶縁構造。
【発明の詳細な説明】
【０００１】
【発明の属する技術分野】
本発明は、ジャンパー線など、裸線の絶縁カバーと裸線の絶縁構造に関するものである。特に、鳥・樹木などの接触による地絡事故を防止することができる裸線の絶縁カバーに関するものである。
【０００２】
【従来の技術】
一般に、架空送電線のジャンパー装置は、図５に示すように、鉄塔３１からアーム材３２を伸ばし、このアーム材３２の端部に碍子３と引留めクランプ２を介して本線４が架設されている。そして、ジャンパー線１は碍子５に吊設されると共に、供給側と需要側の両方の本線４をつなぐように設けられている。この本線４およびジャンパー線１は、鋼心アルミ撚線（ＡＣＳＲ）や硬銅撚線（ＨＤＣＣ）などが用いられ、通常、絶縁被覆がされない裸電線である。そのため、カラスなどの鳥がジャンパー線１に止まって翼を広げた際、鉄塔３１のアーム材３２に触れることや、営巣材として針金などをくわえてアーム材３２に止まった際、針金の先がジャンパー線１に触れることで地絡事故が起こることがある。この対策として、アーム材３２やジャンパー線１に絶縁カバーを被せて被覆を施すことが行われている。
【０００３】
この絶縁カバーの一例を図３に示す。この絶縁カバー２０は渦巻き状の巻き癖をもったシート状のもので、その内面に渦巻きの軸方向に伸びる突条２１を具えている。この絶縁カバー２０は、巻き癖を開いてジャンパー線の外周に巻き付けて使用される。絶縁カバーの材質には絶縁性に優れるエチレンプロピレンゴムが用いられている。絶縁カバー内面に設けられた半円状の突条により、ジャンパー線の径方向への沿面距離をかせぐことができる。
【０００４】
一般にジャンパー線は垂れ下がった状態に鉄塔から支持されているため、このような屈曲部に上記の絶縁カバー２０を用いる場合、図４に示すように、ある程度の長さの絶縁カバー２０を複数並列してジャンパー線１の外周を覆う。そして、絶縁カバー２０のつなぎ目はジョイントカバー２２で覆うと共に、ジャンパー線沿いの複数個所を離散的に締付バンド２３で止めることによりカバーの固定を行っている。
【０００５】
【発明が解決しようとする課題】
しかし、上記の絶縁カバーには、次のような問題があった。
▲１▼ジャンパー線への取り付け・取り外しが行い難い。
渦巻き状の巻き癖が設けられていると、ジャンパー線への装着時、一旦巻き癖を最内周の巻き始めまで解かなければならず、装着作業が面倒である。もちろん、経時劣化や損傷などのため絶縁カバーを取り替える際にも巻き癖を解く必要があり、やはり作業性に欠けると言う問題がある。
【０００６】
▲２▼ジャンパー線の屈曲に沿って絶縁カバーの装着が行い難い。
上記のように、従来の絶縁カバーの形状は何重にも巻かれた渦巻き状になっているため屈曲性に乏しく、屈曲したジャンパ線の全長を単一の絶縁カバーで覆うことが非常に難しい。そのため、複数の絶縁カバーを用いなければならない上、ジョイントカバーも必要となり、部品点数の増大、取り付け作業の煩雑化の要因となっていた。
【０００７】
▲３▼ジャンパー線への装着時の外径が大きくなり、風圧荷重も大きくなる。
ジャンパー線の径方向への沿面距離をかせぐために、カバー内面に突条が設けられている。その結果、絶縁カバー装着時の外径が大きくなり、絶縁カバーで覆ったジャンパー線の風圧荷重が非常に大きくなってしまうと言う問題が生じる。
【０００８】
従って、本発明の主目的は、鳥・樹木などの接触による地絡事故を防止でき、取り付け・取り外しが容易にできる裸線の絶縁カバーを提供することにある。
【０００９】
本発明の他の目的は、裸線の屈曲に沿って装着ができる裸線の絶縁カバーを提供することにある。
【００１０】
また、本発明の他の目的は、絶縁カバー装着時の外径を極力小さくできる裸線の絶縁カバーを提供することにある。
【００１１】
さらに、本発明の別の目的は、鳥・樹木などの接触による地絡事故を防止でき、着脱が容易な裸線の絶縁構造を提供することにある。
【００１２】
【課題を解決するための手段】
本発明は、絶縁カバーの形状に工夫を施すことで上記の目的を達成する。
【００１３】
すなわち、本発明裸線の絶縁カバーは、裸線の外周を覆う絶縁カバーであって、この絶縁カバーは長尺のシート状で、その両側縁には裸線の外径よりも小さい径の巻き癖が設けられ、前記巻き癖を開いた際、裸線の外周に前記絶縁カバーを渦巻き状に装着できるような復元力が得られる弾性材で構成されたことを特徴とする。
【００１４】
従来の渦巻き状の絶縁カバーでは、取り付け・取り外し作業性に欠けることは既に述べた。本発明では、長尺のシート状の絶縁カバーにおいて、幅方向の両側縁に円弧状の巻き癖を設け、中間部は裸線の外径よりも大きい径の円弧または実質的に直線状に構成している。この構成により、カバー両側縁の巻き癖は渦巻き状のように何重にも重なっているわけではなく、比較的容易に巻き癖を解くことができる。また、絶縁カバーの幅方向中間部は実質的に開かれているため、この開口部から容易に裸線へのはめ込みを行うことができる。
【００１５】
この絶縁カバーの材質は、ＪＩＳ  Ｋ  ６３０１「加硫ゴム物理試験方法」のスプリング式硬さ試験（Ａ型）で測定した値が７５°以下のものが好適である。特に、６５°以下、さらには５５°以下が一層好ましい。もちろん、４５°以下の低硬度材料でも利用できる。硬度の高い材料を用いたときは絶縁カバーの厚みを薄くすれば良く、硬度の低い材料を用いた場合は同厚みを厚くしても良い。より具体的には、フッ素ゴム、シリコーンゴム、ウレタンゴム、エチレンプロピレンゴム、クロロプレンゴムの少なくとも１種が挙げられる。特に、耐熱性や電気絶縁性の点でシリコーンゴム、フッ素ゴムが好ましい。これらのゴムであれば可撓性に富み、容易に巻き癖を解くことができると共に、屈曲した裸線に沿って絶縁カバーを装着することができる。従って、複数の絶縁カバーを裸線の長手方向に並列して装着する必要がなく、ジョイントカバーも不要となる。なお、裸線の屈曲径が小さい場合、複数の絶縁カバーを並列して用いても良いことは言うまでもない。
【００１６】
この絶縁カバーは、裸線に巻き付けた際、要求される耐電圧特性を有する厚みが得られるような厚みを選択する。絶縁カバーの厚みとして、例えば、送電電圧７７ｋＶ（対地間電圧４４．５ｋＶ、対地間電圧：交流三相三線式の場合、線間電圧の１／√３）の裸電線に対しては、４．０ｍｍ〜８．０ｍｍ程度、特に好ましくは４．０ｍｍ程度の厚さが適する。送電電圧６６ｋＶ（対地間電圧３８．１ｋＶ）の裸電線に対しては、３．０ｍｍ〜６．０ｍｍ程度、特に好ましくは３．０ｍｍ程度の厚さが適する。
【００１７】
渦巻き状に巻き付けた絶縁カバーの重なり程度は、二重程度が好ましい。二重巻きで十分な絶縁特性が得られる程度の絶縁カバーの厚さを選択すれば、装着作業も行いやすく、外径もあまり大きくなることはない。ただし、巻き始めと巻き終わりの個所は３重に重なる。この３重の重なり部は、裸線の中心角９０°程度の範囲とすれば好適である。
【００１８】
また、カバーの両側縁はテーパ状に形成しておくことが好ましい。後述するように、この絶縁カバーは裸線への装着時、裸線の外周に渦巻き状に巻き付けて装着される。そのため、両側縁がテーパ状に形成されていれば、絶縁カバーの重複部で段差を生じにくく、裸線と絶縁カバーとの間に空隙が発生して絶縁特性が低下することも回避できる。
【００１９】
特に、カバー両側縁をテーパ形状とした場合、両側縁のテーパ形状が同一であることが望ましい。絶縁カバーが裸線に装着された場合、一方の側縁が径方向の内側（巻き始め）、他方の側縁が径方向の外側（巻き終わり）となる。両側縁のテーパ形状が同一であれば、巻き付け時に絶縁カバーの巻き付け向きを気にする必要は無く、いずれの側縁を巻き始めとしても同一形状の装着形状を得ることができる。
【００２０】
本発明絶縁カバーの被覆対象である裸線には、ジャンパー線や送電線本線があげられる。より具体的にはＡＣＳＲ、ＴＡＣＳＲ、ＧＳＴＡＣＳＲなどがあげられる。送電線本線に本発明カバーを適用する場合、本線が樹木や構造物などと接近している箇所に適用することが好ましい。
【００２１】
また、本発明裸線の絶縁構造は、上記裸線の絶縁カバーで裸線の外周を渦巻き状に被覆したことを特徴とする。この構成により、裸線の外周を確実に絶縁被覆することができ、鳥・樹木などの接触による地絡事故を防止することができる。
【００２２】
【発明の実施の形態】
以下、本発明の実施の形態を説明する。
図１は本発明絶縁カバーの部分斜視図、図２は本発明絶縁カバーでジャンパー線を覆った状態を示す断面図である。
【００２３】
この絶縁カバー１０は、図１に示すように、長尺のシート状のものであり、中間部１１がジャンパー線の外径よりも若干大きな径の円弧（または平面）で形成され、両側縁部１２にはジャンパー線の外径よりも小さい巻き癖が形成されている。この巻き癖は、装着性を考慮すると、数周重なって巻き込まれているものではなく、１．５周未満の巻き込み量であるものが好適である。より好ましくは１周未満の巻き込み量とする。両側縁の巻き癖の曲げ径サイズの一例としては、１８．２ｍｍφのＡＣＳＲ用絶縁カバーの場合、約１５ｍｍφである。
【００２４】
また、絶縁カバー１０の材料は、巻き癖を開いた際、ジャンパー線の外周に絶縁カバー１０を渦巻き状に装着できるような復元力を得るため、ＪＩＳ  Ｋ  ６３０１「加硫ゴム物理試験方法」のスプリング式硬さ試験（Ａ型）で測定したゴム硬度が約５５°のシリコーンゴムとした。シリコーンゴムは可撓性にすぐれ、容易に巻き癖を開くことができ、かつ屈曲したジャンパー線に沿って被覆を行うことができる。そして、両側縁部１２を除く絶縁カバー１０の厚みは、必要耐電圧特性が得られるように約３ｍｍとした。
【００２５】
絶縁カバーの両側縁部１２は、同一形状のテーパ状に形成されている。これは、両側縁がテーパ状に形成されていれば、絶縁カバーの重複部で段差を生じにくく、ジャンパー線と絶縁カバー１０との間に空隙が発生して絶縁特性が低下することを回避するためである。
【００２６】
本発明絶縁カバーで被覆を行う代表的なジャンパー線の種類、外径、断面積および絶縁カバーの幅との関係を表１に示す。表１において、「ＳＡＣＳＲ」は小サイズ鋼心アルミより線である。
【００２７】
【表１】
0003603162.tif 000002
【００２８】
このような絶縁カバーは、図５に示すジャンパー装置のジャンパー線の外周に巻き付けて利用する。ここでは鋼芯の外周にアルミ線を撚り合わせたＡＣＳＲをジャンパー線としている。巻き付ける際、両側縁部１２の巻き癖を解き、中間部１１の内面をジャンパー線１に接触させ、一方の側縁をジャンパー線の外周に巻き付ける。さらに、他方の側縁で一方の側縁を覆うように絶縁カバー１０を巻き付け、ジャンパー線の全周を絶縁カバー１０で被覆する。被覆後のジャンパー線の断面図は、図２に示すように、ジャンパー線１の外周に絶縁カバー１０が渦巻き状に被覆された状態となる。ここでは、絶縁カバー１０が二重となるように巻き付けている。ただし、巻き始めと巻き終わりは三重に重ねて巻き付けられている。
【００２９】
また、長さ２ｍのジャンパー線のサンプルに半径１０ｍの屈曲を与え、そのジャンパー線に上記絶縁カバーの装着を行ったところ、容易に装着を行うことができ、かつ絶縁カバーは屈曲したジャンパー線に沿って装着されていた。
【００３０】
このような絶縁カバーによれば、容易にジャンパー線への着脱ができ、かつ屈曲したジャンパー線にも沿って被覆を形成することができる。また、長尺のジャンパー線の全長にわたって単一の絶縁カバーで被覆を形成でき、部品点数の減少と取り付け作業性の改善効果が極めて大きい。
【００３１】
【発明の効果】
以上説明したように本発明絶縁カバーおよび絶縁構造によれば、以下の効果を奏することができる。
【００３２】
▲１▼本発明絶縁カバーは高い絶縁性を具え、かつ施工性が極めてよい。
▲２▼本発明絶縁カバーは装着性に優れ、気候・温度などによって剥離しにくい。
▲３▼既存のジャンパー線などの裸線に後付けすることも容易にできる。
▲４▼従来の絶縁カバーに比較して施工後の径がはるかに小さくでき、風圧荷重の増加を低減することができる。
▲５▼裸電線の曲線的な弛みに沿って連続的に施すことが可能である。
【図面の簡単な説明】
【図１】本発明絶縁カバーの部分斜視図である。
【図２】本発明絶縁カバーでジャンパー線を覆った状態を示す断面図である。
【図３】従来の絶縁カバーの断面図である。
【図４】図３の絶縁カバーをジャンパー線に装着した状態の説明図である。
【図５】ジャンパー線を含む架空送電線を鉄塔に配置した状態を表す説明図である。
【符号の説明】
１  ジャンパー線
２  引留めクランプ
３  碍子
４  本線
５  碍子
１０  絶縁カバー
１１  中間部
１２  側縁部
２０  絶縁カバー
２１  突条
２２  ジョイントカバー
２３  締付バンド
３１  鉄塔
３２  アーム材
【図１】
0003603162.tif 000003
【図２】
0003603162.tif 000004
【図３】
0003603162.tif 000005
【図４】
0003603162.tif 000006
【図５】
0003603162.tif 000007